(57)【要約】【課題】データの送受信のための電子タグの操作具の差し込み作動に基づいて施錠及び解錠を可能とし、簡単な操作での施錠及び解錠を行う構造とする。【解決手段】棒状電子タグを収容した操作具が差し込まれるタグキャッチャー９と、タグキャッチャー９への操作具の差し込みによって直線的に往復移動するタグチェッカー８と、タグチェッカー８の往方向移動によってオンとなる検知スイッチ２２と、検知スイッチ２２のオンによって作動するラッチ用ソレノイド４によりラッチレバー７への係合解除方向に作動して施錠可能状態とする作動片２とを備える。【選択図】          図１
2004250995.tif 000002
【特許請求の範囲】
【請求項１】
棒状電子タグを収容した操作具が差し込まれるタグキャッチャーと、タグキャッチャーへの操作具の差し込みによって直線的に往復移動するタグチェッカーと、タグチェッカーの往方向移動によってオンとなる検知スイッチと、検知スイッチのオンによって作動するラッチ用ソレノイドによりラッチレバーへの係合解除方向に作動して施錠可能状態とする作動片とを備えていることを特徴とする電気錠。
【請求項２】
前記タグチェッカーの往方向移動によってオンとなるロックスイッチと、ロックスイッチのオンによって作動するスライド用ソレノイドによりタグチェッカーへの係合方向にスライドしてタグチェッカーの移動を規制するスライドシャッタとさらに備えていることを特徴とする請求項１記載の電気錠。
【請求項３】
非常用錠と、非常用錠への非常キーの差し込み回動に伴って回動し、ラッチレバーに係合している作動片を解錠方向に回動させる作動アームとをさらに備えていることを特徴とする請求項１または２記載の電気錠。
【請求項４】
前記作動片が、ラッチレバーに係合する係合部材と、前記ラッチ用ソレノイドに連結されると共に係合部材に回動可能に重ね合わせられて前記作動アームが係合する非常用部材と、係合部材と非常用部材とを連結すると共に係合部材を解錠方向に付勢するばねとを備えていることを特徴とする請求項１または３記載の電気錠。
【発明の詳細な説明】
【０００１】
【発明の属する技術分野】
本発明は、電気錠、特にロッカー管理システムにおけるＩＤタグ式電気錠に関する。
【０００２】
【従来の技術】
フィットネスクラブ、サウナ、ボーリング場、プール、スキー場等の施設における貸しロッカーにおいては、コイン型の電子タグ操作具を用いている。このような施設の貸しロッカーに取り付けられている従来の電気錠は、電子タグ操作具との間におけるＩＤコードの授受を非接触で行っている（例えば特許文献１参照）。
【０００３】
【特許文献１】
特開２００１−２３６４７６号公報
【０００４】
【発明が解決しようとする課題】
従来の電気錠では、その施錠及び解錠が電子タグ操作具の操作とは別個に行われている。このような従来の電気錠による施錠及び解錠では、操作に二重の手間がかかり、面倒でかつ時間を要する問題を有している。
【０００５】
本発明は、このような従来の問題点を考慮してなされたものであり、データの送受信のために電気錠へ電子タグの操作具を差し込む作動に基づいて、その施錠及び解錠を可能とすることにより、簡単な操作で施錠及び解錠を行うことが可能な電気錠を提供することを目的とする。
【０００６】
【課題を解決するための手段】
上記目的を達成するため、請求項１の発明の電気錠は、棒状電子タグを収容した操作具が差し込まれるタグキャッチャーと、タグキャッチャーへの操作具の差し込みによって直線的に往復移動するタグチェッカーと、タグチェッカーの往方向移動によってオンとなる検知スイッチと、検知スイッチのオンによって作動するラッチ用ソレノイドによりラッチレバーへの係合解除方向に作動して施錠可能状態とする作動片とを備えていることを特徴とする。
【０００７】
請求項１の発明では、電子タグを使用した操作具をタグキャッチャーに差し込むことによりタグチェッカーが移動し、この移動を検知スイッチが検出してラッチ用ソレノイドが作動片を回動させる。この回動により、作動片がラッチレバーとの係合から解除するため、施錠可能状態となる。このような発明では、データの送受信を行うために操作具をタグキャッチャーに差し込むことにより、施錠及び解錠を行うことができるため操作が簡単となる。
【０００８】
請求項２の発明は、請求項１記載の電気錠であって、前記タグチェッカーの往方向移動によってオンとなるロックスイッチと、ロックスイッチのオンによって作動するスライド用ソレノイドによりタグチェッカーへの係合方向にスライドしてタグチェッカーの移動を規制するスライドシャッタとさらに備えていることを特徴とする。
【０００９】
請求項２の発明では、操作具の差し込みに起因したタグチェッカーの移動によって、スライドシャッタがスライドし、このスライドによりタグチェッカーに係合してその移動を規制するため、操作具の引き抜きがロックされる。これにより、操作具内の棒状電子タグとの間でデータの送受信を行っている間、操作具を引き抜くことができないため、データの送受信を安定して行うことができる。
【００１０】
請求項３の発明は、請求項１または２記載の電気錠であって、非常用錠と、非常用錠への非常キーの差し込み回動に伴って回動し、ラッチレバーに係合している作動片を解錠方向に回動させる作動アームとをさらに備えていることを特徴とする。
【００１１】
請求項３の発明では、非常用錠への操作によって作動アームが作動片を解錠方向に回動させることができる。このため、電池切れ、断線等の故障あるいは、緊急時における開錠ができ、安全に使用することができる。
【００１２】
請求項４の発明は、請求項１または３記載の電気錠であって、前記作動片が、ラッチレバーに係合する係合部材と、前記ラッチ用ソレノイドに連結されると共に係合部材に回動可能に重ね合わせられて前記作動アームが係合する非常用部材と、係合部材と非常用部材とを連結すると共に係合部材を解錠方向に付勢するばねとを備えていることを特徴とする。
【００１３】
この発明では、ラッチレバーを施錠可能状態とする作動片が係合部材と、非常用部材との２部材によって形成されているため、これらを別個に作動させることができ、確実でかつ安定した作動が可能となる。
【００１４】
【発明の実施の形態】
図１〜図１３は、本発明の一実施の形態における電気錠を示し、図１は要部の分解斜視図、図２及び図３は作動を示す平面図、図４はスイッチ及びソレノイドの配置を示す平面図、図５は操作具の平面図、図６及び図７はタグキャッチャーへの操作を示す断面図、図８〜図１０は操作具の差し込み状態を段階的に示す断面図、図１１はスイッチの作動を示すタイミングチャート、図１２及び図１３はスライドシャッタの作動を示す平面図である。
【００１５】
この実施の形態の電気錠は図１に示すように、作動片２と、非常用錠３と、ラッチ用ソレノイド４とがケース板１の上面に配置され、スライド用ソレノイド５がケース板１の下面に配置されている。また、作動片２とスライド用ソレノイド５との間には、スライドシャッタ６、ラッチレバー７、タグチェッカー８、タグキャッチャー９が組み立てられた状態で配置されている。すなわち、スライドシャッタ６は、ケース板１の上面に固定されるガイドプレート１０にスライド可能に取り付けられ、ラッチレバー７はガイドプレート１０上の外筒部材１１に回転可能に挿入された内筒部材１２に係合状態で取り付けられ、タグチェッカー８は内筒部材１２に挿入されると共に、タグキャッチャー９内に挿入されている。
【００１６】
スライドシャッタ６は、図１２及び図１３に示すように、矩形板状となっており、その側面にはスライド用ソレノイド５と連結される連結部６ａが突出している。連結部６ａは、スライド用ソレノイド５の作動軸５ａに連結ピン１３を介して連結されている。また、スライドシャッタ６は丸孔からなる遊合孔６ｂと、遊合孔６ｂの径よりも小さな幅を有して遊合孔６ｂと連接されたストッパ溝６ｃとを備えている。遊合孔６ｂには後述するタグチェッカー８の下軸８ａが挿入され、ストッパ溝６ｃはタグチェッカー８の下軸８ａに係合する（図１３参照）。この係合により、タグチェッカー８の移動が阻止される。なお、ストッパ溝６ｃとの係合を行うため、タグチェッカー８の下軸８ａには溝８ｂが形成されるものである。
【００１７】
ラッチレバー７は、その基端部に内筒部材１２が係合状態で貫通することにより、内筒部材１２と一体となって回動する。このラッチレバー７は、ロッカー本体に係合することにより施錠状態となる。また、ラッチレバー７における内筒部材１２の挿入部位の外側には施錠用溝７ａ及び開錠用溝７ｂが形成されている。
【００１８】
タグチェッカー８は、その下軸８ａがスプリング１４と共に内筒部材１２内に挿入されることにより、内筒部材１２を貫通してスライドシャッタ６の遊合孔６ｂ内に達している。スプリング１４はタグチェッカー８がタグキャッチャー９の方向に移動するように付勢するものである。このタグチェッカー８は、操作具５０の差し込み突起５８をタグキャッチャー９に差し込むことにより直線方向に往復移動（上下動）する。また、タグチェッカー８の下軸８ａと反対側の端部（上端部）には係合突起８ｃが形成されている。係合突起８ｃは、図８〜図１０に示すように三角形状となっており、後述するように操作具５０に係合する。この係合突起８ｃは、タグキャッチャー９内で露出することにより操作具５０との係合が可能となっている。
【００１９】
タグキャッチャー９は、タグチェッカー８が挿入され、ねじ１５（図８ないし図１０に示す）をねじ込むことによりタグチェッカー８と一体となっている。このタグキャッチャー９の端部（上端部）には、操作具５０が差し込まれる差し込み溝９ａが横方向に貫通するように形成されている。
【００２０】
作動片２はケース板１に回動可能に取り付けられており、ラッチレバー７の施錠用溝７ａ及び開錠用溝７ｂに係合する係合突起２ａとがラッチレバー７側に形成され、後述する非常用錠３の作動アーム１６が係合する係合凹部２ｂが非常用錠３側に形成されている。また、作動片２はラッチ用ソレノイド４に連結されており、同ソレノイド４の作動により回動する。
【００２１】
非常用錠３は、非常キー３０（図６及び図７参照）が差し込まれるキー孔３ａが形成されている。また、非常キー３０の回動と共に回動する作動アーム１６が取り付けられている。非常用錠３は電池切れ、断線等の故障あるいは、緊急時に非常キー３０が差し込まれることにより電気錠を開錠可能とするものである。この非常用錠３及びタグキャッチャー９がケースから露出しており、その他の部材はケース内に格納されている。
【００２２】
なお、図２及び図３に示すようにラッチレバー７との近接部位には係止板１７が配置されている。この係止板１７は、ロッカー側に抜き出されてラッチレバー７に係合する係止部１７ａを有している。係止板１７はロッカーの扉を閉めることにより係止部１７ａがロッカー本体に突き当たり、これにより係止板１７が回転して係止部１７ａのラッチレバー７との係合が解除されるようになっている。
【００２３】
この実施の形態の電気錠においては、ラッチ用ソレノイド４及びスライド用ソレノイド５を作動させるためのスイッチが複数配置されるものであり、図４に示すように、非常スイッチ２１が作動アーム１６との近接位置に配置され、検知スイッチ２２がスライドシャッタ６側に配置され、ロックスイッチ２３がスライド用ソレノイド５側に配置され、検知スイッチ２４がラッチレバー７側に配置されている。検知スイッチ２２は、解錠を検知するものであり、検知スイッチ２４は施錠を検知するものである。
【００２４】
図５は、この実施の形態の電気錠に適用される操作具５０を示す。
この操作具５０は、可撓性を有した非磁性の合成樹脂からなる一対のバンド５１、５２と、一方のバンド５２の先端に取り付けられた取付具５３と、他方のバンド５３に長さ方向に沿って形成され、取付具５３に係合する複数の突条５４と、一対のバンド５１、５２の間に取り付けられた操作部５５とを備えている。
【００２５】
操作部５５は、硬質樹脂からなるケース５６と、ケース５６内に挿入された棒状電子タグ６０とを備えている。ケース５６の左右両端部には、ピン６１を介して一対のバンド５１、５２が回動可能に取り付けられている。また、ケース５６にはガイド部５７が形成されている。ガイド部５７は一対のバンド５１、５２を挟むようにケース５６の両側に設けられている。また、ガイド部５７は一対のバンド５１、５２の長さ方向に沿うように延びている。
【００２６】
それぞれのガイド部５７には、タグキャッチャー９の差し込み溝９ａ内に差し込まれる差し込み突起５８が外側に突出するように形成されている。差し込み突起５８は長さ方向両端部にテーパ面５８ａが形成され、テーパ面５８ａの間が平面５８ｂとなっている。さらに、平面５８ｂの略中央部分には、タグチェッカー８の係合突起８ｃが入り込んで係合する係合凹部５８ｃが両側に形成されている。
【００２７】
このような操作具５０は、差し込み突起５８をタグキャッチャー９の差し込み溝９ａに挿入した状態とすることにより、棒状電子タグ６０と電気錠との間でデータの送受信が行われる。
【００２８】
なお、図６及び図７に示すように、電池２６が内蔵されることにより、各スイッチ類、スライド用ソレノイド５及びラッチ用ソレノイド４等への電力供給が行われるようになっている。
【００２９】
次に、この実施の形態の作動を説明する。
上述したロックスイッチ２３は、図８ないし図１０に示したように、そのスイッチ片２３ａがタグチェッカー８の下軸８ａの延長線上に位置しており、タグチェッカー８の移動によって下軸８ａが当接することにより、操作具５０の差し込み突起５８のタグキャッチャー９への差し込みを検知する。図１１はロックスイッチ２３のタイミングチャートを示し、図８に示す操作部５５の差し込み突起５８の差し込み初期においては、ＮＣ回路が接続状態となる。このときＮＯ回路は未接続となっている。また、図９に示す差し込み途中では、ＮＯ回路が接続状態となる。この状態は、図１０に示す差し込み完了状態まで継続する。
【００３０】
図２は、ラッチレバー７の施錠状態、図３はラッチレバー７の解錠状態を示す。操作具５０をタグキャッチャー９に差し込んでいない状態では、図１２に示すように、タグチェッカー８の下軸８ａがスライドシャッタ６の遊合孔６ｂ内に挿入されている。図８に示すように、操作具５０の差し込み突起５８をタグキャッチャー９の差し込み溝９ａに挿入することにより、差し込み突起５８のテーパ面５８ａがタグチェッカー８の係合突起８ｃと接触するため、タグチェッカー８がロックスイッチ２３方向に移動する（往方向への移動）。これにより、下軸８ａがスイッチ片２３ａに接触し、ＮＣ回路が接続状態となる。
【００３１】
差し込み突起５８の差し込みによるタグチェッカー８の往方向への移動は、ロックスイッチ２３によって検知される。これにより、スライド用ソレノイド５が作動し、スライドシャッタ６をスライドさせる。このスライドによりストッパ溝６ｃが下軸８ａの溝８ｂに係合するため、タグチェッカー８の往方向への移動を規制する。図１３に示すこの状態では操作具５０をタグキャッチャー９の差し込み溝９ａから引く抜くことができなくなり、抜け止め防止状態となる。この抜け止め防止は、図９に示す状態まで継続する。
【００３２】
差し込み突起５８を差し込み溝９ａ内でスライドさせることにより、図９に示すように、差し込み突起５８の平面部５８ｂとタグチェッカー８の係合突起８ｃとが接触する。これにより、下軸８ａがさらに往方向へ移動してスイッチ片２３ａを同方向に移動させる。これにより、ＮＯ回路が接続状態となる。
【００３３】
さらに、差し込み突起５８をスライドさせることにより、係合凹部５８ｃが係合突起８ｃとの対応位置に達するため、スプリング１４によって付勢されているタグチェッカー８が差し込み突起５８方向に移動する。これにより、図１０に示すように係合凹部５８ｃと係合突起８ｃとが係合状態となる。この状態では、スライド用ソレノイド５の作動が解除されるため、スライドシャッタ６が反対方向に移動し、下軸８ａが遊合孔６ｂ内に位置することとなる。また、ラッチ用ソレノイド４が作動し、作動片２を時計方向に回動させる。これにより、図３に示すように、係合片２ａがラッチレバー７の施錠用溝７ａから離脱するため、操作部５５を回動することによりタグキャッチャー９を回転させることができる。従って、ラッチレバー７の施錠及び解錠を行うことができる。
【００３４】
電気錠の故障や緊急時においては、非常用錠３のキー孔３ａ内に非常キー３０を差し込んで反時計方向に回転させる。これにより、作動アーム１６が同方向に回動して作動片２の係合凹部２ｂに入り込んで作動片２を時計方向に回動させる。この回動により、図３に示すように作動片２がラッチレバー７との係合から外れるため、ラッチレバー７がフリーとなり、解錠が可能となる。
【００３５】
このような実施の形態では、データの送受信を行うために操作具５０をタグキャッチャー９に差し込むことにより、施錠及び解錠を行うことができるため、操作が簡単となる。また、操作具５０が完全な差し込み状態となるまで、操作具５０の引き抜きがロックされるため、棒状電子タグとの間でデータの送受信を行っている間、操作具を引き抜くことができなくなり、データの送受信を安定して行うことができる。さらに、非常用錠への操作を行うことにより、電池切れ、断線等の故障や緊急時における開錠ができるため、安全に使用することができる。
【００３６】
図１４及び図１５は、本発明の別の実施の形態を示す。
この実施の形態においては、係合部材４１及び非常用部材４２によって作動片２が形成されるものである。
【００３７】
係合部材４１は板状に成形されている。この係合部材４１は、ラッチレバー７に係合するものであり、そのための係合突起４１ａがラッチレバー７側に突出するように形成されている。また、係合突起４１ａと反対側の端部にはばね受け４１ｂが形成されている。
【００３８】
非常用部材４２は、逆Ｌ字形状の板材からなり、ラッチ用ソレノイド４の作動軸４ａに連結されている。非常用部材４２はラッチ用ソレノイド４側の板状の連結部４２ａと、連結部４２ａから段状に高くなった係合部４２ｂとによって形成されている。係合部４２ｂには、作動アーム１６が係合する係合凹部４２ｃが形成されると共に、係合部材４側のばね受け４１ｂに対応したばね受け４２ｄが形成されている。連結部４２ａには、ピン４４が挿入されるピン孔４２ｅが形成されている。
【００３９】
この構造の作動片２は、係合部材４１を非常用部材４２の連結部４２ａの面に重ね合わせた状態で、これらにピン４４を挿入することにより組み付けられる。
このとき、ばね受け４１ｂ、４２ｄには、ばね４３を掛け渡すことにより、係合部材４１を解錠方向に回動するように付勢する。
【００４０】
この実施の形態の作動片２においては、係合部材４１の係合突起４１ａがラッチレバー７に係合した状態に対し、非常用錠３の作動アーム１６を反時計方向に回動させることにより、非常用部材４２がピン４４を中心に時計方向に回動する。その後、係合部材４１がばね４３の付勢力により時計方向に回動してラッチレバー７との係合状態から離脱する。従って、ラッチレバー７のロック解除を円滑に行うことができるメリットがある。
【００４１】
【発明の効果】
本発明によれば、データの送受信を行うために操作具をタグキャッチャーに差し込むことにより、施錠及び解錠を行うことができるため操作が簡単となる。また、操作具の差し込み当初においては、その引き抜きがロックされるため、データの送受信を安定して行うことができる。さらに、故障や緊急時等における開錠ができるため、安全に使用することができる。
【図面の簡単な説明】
【図１】本発明の一実施の形態における要部の分解斜視図である。
【図２】作動片によるラッチレバーのロック状態を示す平面図である。
【図３】ラッチレバーのロックを解除した状態を示す平面図である。
【図４】スイッチ及びソレノイドの配置を示す平面図である。
【図５】操作具の平面図である。
【図６】ロックスイッチの配置を示す断面図である。
【図７】ロックスイッチの配置を示す断面図である。
【図８】操作具の差し込み初期を示す断面図である。
【図９】操作具の差し込み途中を示す断面図である。
【図１０】操作具の差し込み完了を示す断面図である。
【図１１】ロックスイッチのタイミングチャートである。
【図１２】スライドシャッタのスライド前を示す平面図である。
【図１３】スライドシャッタのスライド後を示す平面図である。
【図１４】別の実施の形態における作動片の分解斜視図である。
【図１５】別の実施の形態における作動片の組み立て状態の斜視図である。
【符号の説明】
２    作動片
３    非常用錠
４    ラッチ用ソレノイド
５    スライド用ソレノイド
６    スライドシャッタ
７    ラッチレバー
８    タグチェッカー
９    タグキャッチャー
１６  作動アーム
２１  非常スイッチ
２２  検知スイッチ
２３  ロックスイッチ
２４  検知スイッチ
５０  操作具
５５  操作部
５８  差し込み突起
【図１】
2004250995.tif 000003
【図２】
2004250995.tif 000004
【図３】
2004250995.tif 000005
【図４】
2004250995.tif 000006
【図５】
2004250995.tif 000007
【図６】
2004250995.tif 000008
【図７】
2004250995.tif 000009
【図８】
2004250995.tif 000010
【図９】
2004250995.tif 000011
【図１０】
2004250995.tif 000012
【図１１】
2004250995.tif 000013
【図１２】
2004250995.tif 000014
【図１３】
2004250995.tif 000015
【図１４】
2004250995.tif 000016
【図１５】
2004250995.tif 000017